(57)【要約】【課題】持ち運びし易く実用性と装飾性を兼ね備えた立体定規を提供する。【解決手段】立体定規１は、平板形状を有していて目盛り４が付された定規本体２と、定規本体２に係合して起立状態に保持される起立部６ａ，６ｂ，６ｃとを備えた。定規本体２に嵌合凹部を形成し、起立部６ａ，６ｂ，６ｃに嵌合凹部に係合させる突部を形成した。複数の起立部６ａ，６ｂ，６ｃは間隔を開けて２列に取り付け、起立部６ａ，６ｂ，６ｃの間に携帯端末などの各種物品を挟んで保持できる。【選択図】図１
0003189380.tif 000002
【実用新案登録請求の範囲】
【請求項１】
平板形状を有していて目盛りが付された定規本体と、前記定規本体に取り付けて起立状態に保持される起立部とを備えたことを特徴とする立体定規。
【請求項２】
前記起立部は間隔を開けて前記定規本体に複数個取り付けられており、前記複数個の起立部の間に携帯端末などの各種物品を挟んで保持できるようにした請求項１に記載された立体定規。
【請求項３】
前記定規本体と起立部の一方に嵌合凹部が形成され、他方に前記嵌合凹部に係合可能な突部が形成された請求項１または２に記載された立体定規。
【請求項４】
前記起立部は種々のキャラクターまたはロゴマークを表示または型どった形状を有している請求項１から３のいずれか１項に記載された立体定規。  
【請求項５】
板状の基板シートと、
前記基板シートに形成された複数の嵌合孔部と、
１の前記嵌合孔部に着脱可能に嵌合されていて目盛りが付された定規本体と、
他の前記嵌合孔部に着脱可能に嵌合されていて前記定規本体に係合して起立状態に保持可能な起立部と、
を備えたことを特徴とする立体定規キット。
【請求項６】
立体定規キットにおける板状の基板シートから前記基板シートに形成された嵌合孔部に嵌合された目盛りを付した定規本体と起立部とを取り外し、前記定規本体に形成された嵌合凹部に前記起立部を係合させて起立させて立体定規を組み立てるようにした立体定規の組立方法。
【考案の詳細な説明】
【技術分野】
【０００１】
この考案は、立体形状を有する立体定規、そして立体定規を組み立てるための１組の立体定規キット、及び立体定規の組立方法に関する。
【背景技術】
【０００２】
従来、長さを測定する目盛りが施された定規は一般的にプラスチックや竹材等からなる薄い板状であって短冊状または帯状に形成されたものが多かった。このような定規の一例として、例えば特許文献１に記載されたものが提案されている。
【０００３】
特許文献１に記載された定規は、薄板状で短冊状に形成されており、一方の長辺の端部に沿って目盛りが施されており、この目盛りはセンチメートル値やミリメートル値を表示していた。しかも、センチメートル値やミリメートル値を表す目盛りの数値を草花に見立てたり、目盛りの数値を花の部分に重ねて表示したりしていた。
【０００４】
或いは、目盛りの数値を太い数字で表現したり傾かせて表現したり、または引き算や足し算等の種々の算式や図形等で表現していた。また、目盛りの数値自体を前後方向にずらして表現したりしていた。また、目盛りの高さを不均一に表現したり、目盛りと数値に替えたイラストや文字や図形等によって１つの意味のあるストーリー性のある図柄を表現したりして、定規全体がファンシー性を具備することで新たな需要を喚起するとしている。
【先行技術文献】
【特許文献】
【０００５】
【特許文献１】特開２０１２−１３４３１号公報
【考案の概要】
【考案が解決しようとする課題】
【０００６】
しかしながら、上述した特許文献１に記載された定規は薄い板状のものであり、持ち手がないため持ちにくく、机の上に置いた状態で持ちあげる際に把持し難く不便であった。しかも、基本的に平板状の定規であるから、装飾的ではあっても平面的なデザインであり、消費者の新たな需要を惹起しにくいという欠点があった。
【０００７】
本考案は、このような課題に鑑みてなされたものであり、持ち運びし易く実用性と装飾性を兼ね備えた立体定規を提供することを目的とする。
【課題を解決するための手段】
【０００８】
本考案に係る立体定規は、平板形状を有していて目盛りが付された定規本体と、前記定規本体に取り付けて起立状態に保持される起立部とを備えたことを特徴とする。
本考案によれば、定規本体に起立部を係合して起立状態に保持できるから、目盛りによって長さを測定できる上に起立部を手で持ち上げることで定規本体と一体に容易に持ち運ぶことができる。
【０００９】
また、起立部は間隔を開けて定規本体に複数個取り付けられており、複数個の起立部の間に携帯端末などの各種物品を挟んで保持できるようにしてもよい。
定規本体の上に起立部を間隔を開けて複数個取り付けることで、複数個の起立部の間に携帯端末等の各種物品を挟んで保持することができ、各種物品を保持する置台としても用いることができる。
【００１０】
また、定規本体と起立部の一方に嵌合凹部が形成され、他方に前記嵌合凹部に係合可能な突部が形成されていてもよい。
定規本体と起立部の一方に嵌合凹部を形成し他方に突部を形成して、嵌合凹部に突部を係合させることで、定規本体に起立部を起立状態で係合させることができるため、定規本体と起立部を容易に組み立てたり分離させたりすることができる。
【００１１】
また、起立部は種々のキャラクターまたはロゴマークを表示または型どった形状を有していてもよい。
定規本体に種々のキャラクターまたはロゴマークのデザインを表示したり型どったりした起立部を取り付けて立体定規を形成することで、立体定規としての審美性が高く例えば立体フィギュア装飾として楽しむことができる。
【００１２】
本考案による立体定規キットは、板状の基板シートと、基板シートに形成された複数の嵌合孔部と、１の嵌合孔部に着脱可能に嵌合されていて目盛りが付された定規本体と、他の嵌合孔部に着脱可能に嵌合されていて定規本体に係合して起立状態に保持可能な起立部と、を備えたことを特徴とする。
板状の基板シートに形成した嵌合孔部には定規本体と起立部が嵌合されて一体化されており、この基板シートの嵌合孔部から定規本体と起立部を取り外して分離し、定規本体に起立部を取り付けて起立状態に保持するよう組み立てることで立体定規を形成することができる。そのため、保管時には板状の基板シートとして保管できると共に、使用時には基板シートから定規本体と起立部を取り外して組み立てることで立体定規を得て長さの測定や置台や装飾物等として使用できる。
【００１３】
本考案による立体定規の組立方法は、立体定規キットにおける板状の基板シートから前記基板シートに形成された嵌合孔部に嵌合された目盛りを付した定規本体と起立部とを取り外し、前記定規本体に形成された嵌合凹部に前記起立部を係合させて起立させて立体定規を組み立てるようにしたことを特徴とする。
本考案による立体定規の組立方法によれば、板状の基板シートから定規本体と起立部を取り外して容易に立体定規を組み立てることができる。
【考案の効果】
【００１４】
本考案に係る立体定規によれば、定規本体に起立部を取り付けて起立状態に保持できるから、目盛りによって長さを測定できると共に起立部を手で持ち上げることで定規本体と一体に容易に持ち運ぶことができ、また立体物として装飾性を備えることができる。
【００１５】
また、本考案による立体定規キットは、板状の基板シートに形成した嵌合孔部から定規本体と起立部を取り外し定規本体に起立部を起立状態に組み立てることができるため、保管時には板状の基板シートとして保管できると共に、使用時には基板シートから定規本体と起立部を取り外して互いに組み立てることで立体定規を得られる。
【００１６】
また、本考案による立体定規の組立方法によれば、板状の基板シートから定規本体と起立部を取り外して容易に立体定規を組み立てることができて便利である。
【図面の簡単な説明】
【００１７】
【図１】本考案の実施形態による立体定規を示す斜視図である。
【図２】定規本体と起立部を示す平面図である。
【図３】図１に示す立体定規の組立キットを示す平面図である。
【図４】定規本体と起立部の各ピースを取り出した後の基板シートを示す平面図である。
【図５】図１に示す立体定規に携帯端末を取り付けた状態を示す斜視図である。
【考案を実施するための形態】
【００１８】
以下、本考案の一実施形態による立体定規１について図１乃至図５に基づいて説明する。
図１に示す本考案の実施形態による立体定規１は、例えば長方形板状の定規本体２を備えており、その一方の端部には略円形の分度器３が連結されている。定規本体２の一方の長辺に沿う縁部２ａには印刷または刻印等によって目盛り４が付されている。そして、定規本体２には、目盛り４を外れた位置で、長辺の縁部２ａに沿って例えば２枚の起立部６ａ、６ｂが同一直線状に分離して取り付けられ、起立部６ａ、６ｂと平行な別の線に沿って例えば１枚の起立部６ｃが取り付けられている。そのため、本実施形態では、定規本体２上に２枚の起立部６ａ，６ｂと１枚の起立部６ｃが２列に配設されている。
【００１９】
定規本体２と起立部６ａ，６ｂ，６ｃとの係合構造について図１及び図２により説明する。
図２に示す定規本体２の表面には同一直線状に例えば２つの嵌合凹部８ａ、８ｂが形成されており、更に、これら２つの嵌合凹部８と離間した位置に例えば１つの嵌合凹部８ｃが形成されている。２つの嵌合凹部８ａ，８ｂと１つの嵌合凹部８ｃとは定規本体２の縁部２ａと略平行に形成されていてもよい。また、嵌合凹部８ａ，８ｂ、８ｃは定規本体２を貫通していてもよいし、貫通しない凹溝形状でもよい。
一方、各起立部６ａ，６ｂ，６ｃは適宜形状に形成されており、その一端部には上述した嵌合凹部８ａ，８ｂ，８ｃに嵌合可能な突部９ａ、９ｂ、９ｃがそれぞれ形成されている。そして、各嵌合凹部８ａ，８ｂ，８ｃには起立部６ａ，６ｂ，６ｃのいずれかの突部９ａ，９ｂ，９ｃが嵌合可能とされている。各起立部６ａ，６ｂ，６ｃのいずれかの突部９ａ，９ｂ，９ｃを定規本体２の嵌合凹部８ａ，８ｂ，８ｃに嵌合させることで起立状態で係合保持させることができる。
【００２０】
ここで、定規本体２の表面に例えばサーキットコースの図柄が描かれ、その無端状のサーキットコース上に各嵌合凹部８ａ，８ｂ，８ｃを形成した。そして、３つの起立部６ａ，６ｂ，６ｃにはレーシングカーの絵柄が描かれている。そのため、定規本体２の各嵌合凹部８ａ，８ｂ，８ｃに各起立部６ａ，６ｂ，６ｃの突部９ａ，９ｂ，９ｃをそれぞれ任意に係合させることでサーキットコースを複数のレーシングカーが走行している立体の絵が描かれた立体定規１が得られることになる。
【００２１】
次に、立体定規キット１１について図２〜図４により説明する。図３は例えば長方形状の基板シート１２に定規本体２と起立部６ａ，６ｂ，６ｃの周囲縁部をなす切れ目を入れて嵌合孔部１３、１６ａ、１６ｂ、１６ｃとして、定規本体２と起立部６ａ，６ｂ，６ｃを取り外し可能としたものである。この状態から、嵌合孔部１３、１６ａ、１６ｂ、１６ｃに沿って基板シート１２から定規本体２と起立部６ａ，６ｂ，６ｃとを切り外すと、図２に示すように定規本体２と起立部６ａ，６ｂ，６ｃを分離できる。
また、基板シート１２の残された嵌合孔部１３、１６ａ、１６ｂ、１６ｃの部分が図４に示す形状であり、抜き取って残された嵌合孔部１３、１６ａ、１６ｂ、１６ｃの形状輪郭を鉛筆などでなぞることでお絵かき等に利用可能である。
【００２２】
次に、立体定規キット１１から立体定規１を組み立てる組立方法について説明する。
まず、図３に示す立体定規キット１１から、嵌合孔部１３、１６ａ、１６ｂ、１６ｃに沿って、図２に示すように定規本体２と起立部６ａ，６ｂ，６ｃを取り外す。そして、定規本体２の嵌合凹部８ａ，８ｂ，８ｃに起立部６ａ，６ｂ，６ｃの突部９ａ，９ｂ，９ｃを係合することで、定規本体２に対して起立部６ａ，６ｂ，６ｃを起立させる。こうして図１に示す立体定規１が組み立てられる。
【００２３】
次に、立体定規１の使用方法について説明する。
立体定規１では、長辺の縁部２ａに付された目盛４によって対象物の長さを測定できる。また、図５において、定規本体２上に２列の起立部６ａ、６ｂと起立部６ｃとが間隔を開けて配列されており、これらの起立部６ａ，６ｂ，６ｃの間に携帯端末１８等を挟んで保持することができる。この場合、立体定規１はデザイン性に富んだ立体形状であるから、携帯端末１８に限定されることなく、適宜の物品等の置台や保持台としても使用することができて便利である。
【００２４】
上述のように本実施形態による立体定規１によれば、定規本体２に対して起立部６ａ、６ｂ、６ｃを起立状態に係合保持できるから、目盛り４によって長さを測定できると共に起立部６ａ，６ｂ，６ｃを持ち手として持ち上げることで定規本体２と一体に容易に持ち運ぶことができる。しかも、起立部６ａ，６ｂ，６ｃによって携帯端末１８等の各種の物品を挟んで保持できるため、置台や保持台として使用できる。更に、定規本体２と起立部６ａ，６ｂ，６ｃとにサーキットコースとレーシングカー等の関連するデザイン等を表示することで立体的で装飾としての審美性が高くて見栄えがよく、しかも製造コストが低廉であるという種々の利点がある。
【００２５】
また、立体定規キット１１は、板状の基板シート１２に形成した嵌合孔部１３、１６ａ、１６ｂ、１６ｃから定規本体２と起立部６ａ，６ｂ，６ｃを取り外し、定規本体２に起立部６ａ，６ｂ，６ｃを起立状態に組み立てることができるため、保管時には板状の基板シート１２として保管できると共に、使用時には基板シート１２から定規本体２と起立部６ａ，６ｂ，６ｃを取り外して組み立てることで立体定規１を得られる。
しかも、定規本体２と起立部６ａ，６ｂ，６ｃを取り外した後の嵌合孔部１３、１６ａ、１６ｂ、１６ｃが残った基板シート１２は嵌合孔部１３、１６ａ、１６ｂ、１６ｃの形状に沿った図柄のお絵かき等に使用できるため、多種類の用途に利用できる。
【００２６】
また、立体定規１の組立方法によれば、板状の基板シート１２から定規本体２と起立部６ａ，６ｂ，６ｃを取り外して容易に立体定規１を組み立てることができて、保管と使用に便利である。
【００２７】
なお、本考案による立体定規１は上述の実施形態に限定されるものではなく、その要旨を逸脱しない範囲で種々の変更や置換等が可能である。
例えば、定規本体２と起立部６ａ，６ｂ，６ｃにはサーキットコースとレーシングカーとを描いたが、採用する絵柄は上述したものに限定されるものではなく、各種のキャラクターやロゴマーク等を採用したり、適宜のキャラクターやブランド等を用いることで、立体フィギュア装飾や宣伝用立体物が得られる。しかも、起立部６ａ，６ｂ，６ｃは３個に限定されることなく、任意の１または複数個の起立部を取り付けることができる上に、その図柄等も任意に選択できる。
【００２８】
また、上述した実施形態では、立体定規１における定規本体２に円形の分度器３が連結されているが、分度器３は必ずしも連結しなくてもよい。
また、定規本体２に嵌合凹部８ａ，８ｂ，８ｃを設け、起立部６ａ，６ｂ，６ｃに突部９ａ，９ｂ，９ｃを設けて互いに係合させたが、これとは逆に定規本体２に突部９ａ，９ｂ，９ｃを設けて、起立部６ａ、６ｂ、６ｃに嵌合凹部８ａ，８ｂ，８ｃを設けてもよい。また、基板シート１２や定規本体２は長方形状等に限定されるものではなく、適宜形状のものを採用できる。
【符号の説明】
【００２９】
１  立体定規
２  定規本体
２ａ  縁部
４  目盛り
６ａ，６ｂ，６ｃ  起立部
８ａ，８ｂ，８ｃ  嵌合凹部
９ａ、９ｂ、９ｃ  突部
１１  立体定規キット
１２  基板シート
【図１】
0003189380.tif 000003
【図２】
0003189380.tif 000004
【図３】
0003189380.tif 000005
【図４】
0003189380.tif 000006
【図５】
0003189380.tif 000007
【手続補正書】
【提出日】平成26年1月7日(2014.1.7)
【手続補正１】
【補正対象書類名】実用新案登録請求の範囲
【補正対象項目名】全文
【補正方法】変更
【補正の内容】
【実用新案登録請求の範囲】
【請求項１】
平板形状を有していて目盛りが付された定規本体と、前記定規本体に取り付けて起立状態に保持される起立部とを備えたことを特徴とする立体定規。
【請求項２】
前記起立部は間隔を開けて前記定規本体に複数個取り付けられており、前記複数個の起立部の間に携帯端末などの各種物品を挟んで保持できるようにした請求項１に記載された立体定規。
【請求項３】
前記定規本体と起立部の一方に嵌合凹部が形成され、他方に前記嵌合凹部に係合可能な突部が形成された請求項１または２に記載された立体定規。
【請求項４】
前記起立部は種々のキャラクターまたはロゴマークを表示または型どった形状を有している請求項１から３のいずれか１項に記載された立体定規。  
【請求項５】
板状の基板シートと、
前記基板シートに形成された複数の嵌合孔部と、
１の前記嵌合孔部に着脱可能に嵌合されていて目盛りが付された定規本体と、
他の前記嵌合孔部に着脱可能に嵌合されていて前記定規本体に係合して起立状態に保持可能な起立部と、
を備えたことを特徴とする立体定規キット。
【手続補正３】
【補正対象書類名】明細書
【補正対象項目名】０００１
【補正方法】変更
【補正の内容】
【０００１】
この考案は、立体形状を有する立体定規、そして立体定規を組み立てるための１組の立体定規キットに関する。
【手続補正４】
【補正対象書類名】明細書
【補正対象項目名】００１３
【補正方法】削除
【補正の内容】
【手続補正５】
【補正対象書類名】明細書
【補正対象項目名】００１６
【補正方法】削除
【補正の内容】